(57)【要約】【課題】ユーザの思い通りの印刷結果が得られるネットワークプリントシステムを提供する。【解決手段】印刷用画像生成処理４２は、画像ファイルをプリンタプロファイルに基づき色変換した印刷用画像ファイルを生成し、印刷処理３５に送信する。印刷処理３５は、受信した印刷用画像ファイルの印刷をプリンタ３２に指示する。見本画像生成処理４３は、画像ファイルに対する複数の所定の色変換の結果である見本画像ファイルをブラウザ３４に表示させる。プロファイル生成登録４４は、ブラウザ３４から指定された見本画像ファイルに基づきモニタプロファイルを生成し、ユーザ情報データベース５０に登録する。【選択図】図５
2007219669.tif 000002
【特許請求の範囲】
【請求項１】
各プリンタ機種のプリンタプロファイルを記憶するプリンタ記憶手段と、各ユーザのモニタプロファイルを記憶するユーザ情報記憶手段と、画像ファイルを記憶する画像記憶手段と、前記プリンタ記憶手段と前記ユーザ情報記憶手段と前記画像記憶手段と接続されたサーバ装置と、端末機器と、前記端末機器と接続されたプリンタと、前記サーバ装置と前記端末機器とを接続する通信網とを備えるネットワークプリントシステムにおいて、
前記端末機器は、
前記サーバ装置から受けた画面データに基づき、画面を表示し、ユーザ操作を受付けて、受付けた操作内容を前記サーバ装置に送信する表示入力手段と、
受信した印刷用画像ファイルに基づく画像の印刷を前記プリンタに指示する印刷手段と
を備え、
前記サーバ装置は、
画像指定用の画面データを前記表示入力手段に送信し、前記表示入力手段から指定された画像に対応する画像ファイルを前記画像記憶手段から取得する画像指定手段と、
プリンタ機種指定用の画面データを前記表示入力手段に送信し、前記表示入力手段から指定されたプリンタ機種に対応するプリンタプロファイルを前記プリンタ記憶手段から取得し、前記画像指定手段が取得した画像ファイルを前記取得したプリンタプロファイルに基づき色変換した印刷用画像ファイルを生成し、前記印刷手段に送信する印刷用画像生成手段と、
前記画像指定手段が取得した画像ファイルに対して所定の色変換を施し、色変換の結果として見本画像ファイルを生成し、前記見本画像ファイルの画像を表示して前記見本画像ファイルの中から少なくとも一つの指定を促すための見本画像指定用の画面データを、前記表示入力手段に送信する見本画像生成手段と、
前記表示入力手段から指定された見本画像ファイルに基づきモニタプロファイルを生成し、前記ユーザ情報記憶手段に登録するプロファイル生成登録手段と
を備えることを特徴とするネットワークプリントシステム。
【請求項２】
各プリンタ機種のプリンタプロファイルを記憶するプリンタ記憶手段と各ユーザのモニタプロファイルを記憶するユーザ情報記憶手段と画像ファイルを記憶する画像記憶手段と接続され、端末機器と通信網により接続されるサーバ装置であって、
画像指定用の画面データを前記端末機器に送信し、前記端末機器から指定された画像に対応する画像ファイルを前記画像記憶手段から取得する画像指定手段と、
プリンタ機種指定用の画面データを前記端末機器に送信し、前記端末機器から指定されたプリンタ機種に対応するプリンタプロファイルを前記プリンタ記憶手段から取得し、前記画像指定手段が取得した画像ファイルを前記取得したプリンタプロファイルに基づき色変換した印刷用画像ファイルを生成し、前記端末機器に送信する印刷用画像生成手段と、
前記画像指定手段が取得した画像ファイルに対して所定の色変換を施し、前記色変換の結果として見本画像ファイルを生成し、前記見本画像ファイルの画像を表示して前記見本画像ファイルの中から少なくとも一つの指定を促すための見本画像指定用の画面データを、前記端末機器に送信する見本画像生成手段と、
前記端末機器から指定された見本画像ファイルに基づきモニタプロファイルを生成し、前記ユーザ情報記憶手段に登録するプロファイル生成登録手段と
を備えることを特徴とするサーバ装置。
【請求項３】
前記画像指定手段は、画像指定用の画面データを前記端末機器に送信し、前記端末機器から送信された画像ファイルを取得すること
を特徴とする請求項２に記載のサーバ装置。
【請求項４】
画面データまたは画像ファイルを受けると、ユーザ情報記憶手段からモニタプロファイルを取得し、前記取得したモニタプロファイルに基づき、前記受けた画面データまたは画像ファイルを色変換する色変換手段を備え、
前記画像指定手段は、前記画像指定用の画面データもしくはその一部を、前記色変換手段にて色変換した後に、前記端末機器に送信すること
を特徴とする請求項２または請求項３に記載のサーバ装置。
【請求項５】
各プリンタ機種のプリンタプロファイルを記憶するプリンタ記憶手段と各ユーザのモニタプロファイルを記憶するユーザ情報記憶手段と画像ファイルを記憶する画像記憶手段と接続され、端末機器と通信網により接続されるサーバ装置における印刷用ファイル生成方法であって、
画像指定用の画面データを前記端末機器に送信し、前記端末機器から指定された画像に対応する画像ファイルを前記画像記憶手段から取得する第１の過程と、
プリンタ機種指定用の画面データを前記端末機器に送信し、前記端末機器から指定されたプリンタ機種に対応するプリンタプロファイルを前記プリンタ記憶手段から取得し、前記第１の過程にて取得した画像ファイルを前記取得したプリンタプロファイルに基づき色変換した印刷用画像ファイルを生成し、前記端末機器に送信する第２の過程と、
前記第１の過程にて取得した画像ファイルに対して所定の色変換を施し、色変換の結果として見本画像ファイルを生成し、前記見本画像ファイルの画像を表示して前記見本画像ファイルの中から少なくとも一つの指定を促すための見本画像指定用の画面データを、前記端末機器に送信する第３の過程と、
前記端末機器から指定された見本画像ファイルに基づきモニタプロファイルを生成し、前記ユーザ情報記憶手段に登録する第４の過程と
を備えることを特徴とする印刷用ファイル生成方法。
【請求項６】
前記第１の過程は、画像指定用の画面データを前記端末機器に送信し、前記端末機器から送信された画像ファイルを取得すること
を特徴とする請求項５に記載の印刷用ファイル生成方法。
【請求項７】
画面データ全体もしくはその一部に前記ユーザ情報記憶手段から取得したモニタプロファイルに基づき色変換を施した画像指定用の画面データを、前記端末機器に送信し、前記端末機器から送信された画像ファイルを取得するもしくは前記端末機器から指定された画像に対応する画像ファイルを前記画像記憶手段から取得する第５の過程と、
プリンタ機種指定用の画面データを前記端末機器に送信し、前記端末機器から指定されたプリンタ機種に対応するプリンタプロファイルを前記プリンタ記憶手段から取得し、前記第５の過程にて取得した画像ファイルを前記取得したプリンタプロファイルに基づき色変換した印刷用画像ファイルを生成し、前記端末機器に送信する第６の過程と
を備えることを特徴とする請求項５または請求項６に記載の印刷用ファイル生成方法。
【発明の詳細な説明】
【技術分野】
【０００１】
本発明は、ネットワークプリントシステム、サーバ装置および印刷用ファイル生成方法にかかわり、特に色調整が可能なネットワークプリントシステム、サーバ装置および印刷用ファイル生成方法に関する。
【背景技術】
【０００２】
従来のネットワークプリントシステムは、インターネットなどのネットワークに携帯電話やパソコンなどの端末機器を接続し、またサーバ及びプリント自動販売機を接続し、端末機器で撮影した写真画像をサーバに送信してデータベースに保存し、プリント自動販売機を使用してユーザ写真画像を読み出す際、プリント自動販売機からサーバに読み出し指示が行われ、サーバは保存された写真画像情報を読み出し、プリント自動販売機によって印刷処理を行っている（例えば、特許文献１参照）。
【特許文献１】特開２００４−８８７２６号公報
【発明の開示】
【発明が解決しようとする課題】
【０００３】
しかしながら、特許文献１に示すネットワークプリントシステムにあっては、端末機器のディスプレイは、機器毎に特性が異なるため、写真画像をこれらのディスプレイ等の表示装置で表示した結果と、プリント自動販売機で印刷処理した結果の色合いなどが異なり、ユーザの思った通りの印刷結果が得られないことがあるという問題がある。
【０００４】
本発明は、このような事情に鑑みてなされたもので、その目的は、端末機器の表示装置で表示した結果とネットワークプリントシステムにて印刷した結果とを近づけて、ユーザの思い通りの印刷結果が得られるネットワークプリントシステムを提供することにある。
【課題を解決するための手段】
【０００５】
この発明は上述した課題を解決するためになされたもので、本発明は、各プリンタ機種のプリンタプロファイルを記憶するプリンタ記憶手段と、各ユーザのモニタプロファイルを記憶するユーザ情報記憶手段と、画像ファイルを記憶する画像記憶手段と、前記プリンタ記憶手段と前記ユーザ情報記憶手段と前記画像記憶手段と接続されたサーバ装置と、端末機器と、前記端末機器と接続されたプリンタと、前記サーバ装置と前記端末機器とを接続する通信網とを備えるネットワークプリントシステムにおいて、前記端末機器は、前記サーバ装置から受けた画面データに基づき、画面を表示し、ユーザ操作を受付けて、受付けた操作内容を前記サーバ装置に送信する表示入力手段と、受信した印刷用画像ファイルに基づく画像の印刷を前記プリンタに指示する印刷手段とを備え、前記サーバ装置は、画像指定用の画面データを前記表示入力手段に送信し、前記表示入力手段から指定された画像に対応する画像ファイルを前記画像記憶手段から取得する画像指定手段と、プリンタ機種指定用の画面データを前記表示入力手段に送信し、前記表示入力手段から指定されたプリンタ機種に対応するプリンタプロファイルを前記プリンタ記憶手段から取得し、前記画像指定手段が取得した画像ファイルを前記取得したプリンタプロファイルに基づき色変換した印刷用画像ファイルを生成し、前記印刷手段に送信する印刷用画像生成手段と、前記画像指定手段が取得した画像ファイルに対して複数の所定の色変換を施し、各々の色変換の結果として複数の見本画像ファイルを生成し、前記複数の見本画像ファイルの画像を表示して前記見本画像ファイルの中から少なくとも一つの指定を促すための見本画像指定用の画面データを、前記表示入力手段に送信する見本画像生成手段と、前記表示入力手段から指定された見本画像ファイルに基づきモニタプロファイルを生成し、前記ユーザ情報記憶手段に登録するプロファイル生成登録手段とを備えることを特徴とするネットワークプリントシステムである。
【０００６】
また、本発明は、各プリンタ機種のプリンタプロファイルを記憶するプリンタ記憶手段と各ユーザのモニタプロファイルを記憶するユーザ情報記憶手段と画像ファイルを記憶する画像記憶手段と接続され、端末機器と通信網により接続されるサーバ装置であって、画像指定用の画面データを前記端末機器に送信し、前記端末機器から指定された画像に対応する画像ファイルを前記画像記憶手段から取得する画像指定手段と、プリンタ機種指定用の画面データを前記端末機器に送信し、前記端末機器から指定されたプリンタ機種に対応するプリンタプロファイルを前記プリンタ記憶手段から取得し、前記画像指定手段が取得した画像ファイルを前記取得したプリンタプロファイルに基づき色変換した印刷用画像ファイルを生成し、前記端末機器に送信する印刷用画像生成手段と、前記画像指定手段が取得した画像ファイルに対して所定の色変換を施し、色変換の結果として見本画像ファイルを生成し、前記見本画像ファイルの画像を表示して前記見本画像ファイルの中から少なくとも一つの指定を促すための見本画像指定用の画面データを、前記端末機器に送信する見本画像生成手段と、前記端末機器から指定された見本画像ファイルに基づきモニタプロファイルを生成し、前記ユーザ情報記憶手段に登録するプロファイル生成登録手段とを備えることを特徴とするサーバ装置である。
【０００７】
また、本発明は、前述のサーバ装置であって、前記画像指定手段は、画像指定用の画面データを前記端末機器に送信し、前記端末機器から送信された画像ファイルを取得することを特徴とする。
【０００８】
また、本発明は、前述のサーバ装置であって、画面データまたは画像ファイルを受けると、ユーザ情報記憶手段からモニタプロファイルを取得し、前記取得したモニタプロファイルに基づき、前記受けた画面データまたは画像ファイルを色変換する色変換手段を備え、前記画像指定手段は、前記画像指定用の画面データもしくはその一部を、前記色変換手段にて色変換した後に、前記端末機器に送信することを特徴とする。
【０００９】
また、本発明は、各プリンタ機種のプリンタプロファイルを記憶するプリンタ記憶手段と各ユーザのモニタプロファイルを記憶するユーザ情報記憶手段と画像ファイルを記憶する画像記憶手段と接続され、端末機器と通信網により接続されるサーバ装置における印刷用ファイル生成方法であって、画像指定用の画面データを前記端末機器に送信し、前記端末機器から指定された画像に対応する画像ファイルを前記画像記憶手段から取得する第１の過程と、プリンタ機種指定用の画面データを前記端末機器に送信し、前記端末機器から指定されたプリンタ機種に対応するプリンタプロファイルを前記プリンタ記憶手段から取得し、前記第１の過程にて取得した画像ファイルを前記取得したプリンタプロファイルに基づき色変換した印刷用画像ファイルを生成し、前記端末機器に送信する第２の過程と、前記第１の過程にて取得した画像ファイルに対して所定の色変換を施し、色変換の結果として見本画像ファイルを生成し、前記見本画像ファイルの画像を表示して前記見本画像ファイルの中から少なくとも一つの指定を促すための見本画像指定用の画面データを、前記端末機器に送信する第３の過程と、前記端末機器から指定された見本画像ファイルに基づきモニタプロファイルを生成し、前記ユーザ情報記憶手段に登録する第４の過程とを備えることを特徴とする印刷用ファイル生成方法である。
【００１０】
また、本発明は、前述の印刷用ファイル生成方法であって、前記第１の過程は、画像指定用の画面データを前記端末機器に送信し、前記端末機器から送信された画像ファイルを取得することを特徴とする。
【００１１】
また、本発明は、前述の印刷用ファイル生成方法であって、画面データ全体もしくはその一部に前記ユーザ情報記憶手段から取得したモニタプロファイルに基づき色変換を施した画像指定用の画面データを、前記端末機器に送信し、前記端末機器から送信された画像ファイルを取得するもしくは前記端末機器から指定された画像に対応する画像ファイルを前記画像記憶手段から取得する第５の過程と、プリンタ機種指定用の画面データを前記端末機器に送信し、前記端末機器から指定されたプリンタ機種に対応するプリンタプロファイルを前記プリンタ記憶手段から取得し、前記第５の過程にて取得した画像ファイルを前記取得したプリンタプロファイルに基づき色変換した印刷用画像ファイルを生成し、前記端末機器に送信する第６の過程とを備えることを特徴とする。
【発明の効果】
【００１２】
この発明によれば、画像ファイルをプリンタプロファイルに基づき色変換した印刷用画像ファイルを印刷し、指定された見本画像に基づきモニタプロファイルを生成するので、標準の色空間で印刷されるようにプリンタプロファイルを設定し、該プリンタプロファイルを用いた印刷結果と近く感じる見本画像をユーザが指定し、指定された見本画像に施された色変換となるようにモニタプロファイルを生成することで、該モニタプロファイルを用いて色変換を施すと、標準の色空間に近く感じるように、端末機器の表示装置に表示することができる。従って、画像を加工する際も、表示する画像に、このモニタプロファイルを用いて色変換を施してから表示することで、表示される加工結果と印刷結果がユーザには近く感じられ、思い通りの印刷結果が得られるように、画像を加工することができる。
【発明を実施するための最良の形態】
【００１３】
以下、図面を参照して、本発明の実施の形態について説明する。図１は、この発明の一実施形態によるネットワークプリントシステムの構成を示す概略ブロック図である。１０は、ユーザの機器と本システムのサーバ機器を接続するインターネットである。１１、１２は、不正アクセスを防止するためのファイアウォール（FireWall；防火壁）である。１３、１４は、多数のユーザからのアクセスがあった場合に、各ユーザからのアクセスを負荷分散して、複数ある専用Ｗｅｂサーバ１５（一つのみ図示）の内のいずれかに割振るロードバランサ（LoadBalancer；負荷分散装置)である。専用Ｗｅｂサーバ１５は、ユーザからのアクセスを受付けて処理することで、サービスを提供する本実施形態におけるサーバ装置である。専用Ｗｅｂサーバ１５の詳細については、後述する。１６は、専用Ｗｅｂサーバ１５に障害が発生した場合などに、専用Ｗｅｂサーバ１５の代わりに運用される待機系Ｗｅｂサーバである。１７は、本システムにおいて、ユーザからのファイルのアップロードや、ユーザへのファイルのダウンロードなどのファイル転送を行うＦＴＰ（File Transfer Protocol）サーバである。１８は、本システムの保守のために、各サーバが保持するデータやプログラムのバックアップをとるＢａｃｋＵＰ・管理サーバである。１９は、本システムから、ユーザのパソコン３０や携帯電話３１にメールを送信するメールサーバである。２０は、専用Ｗｅｂサーバ１５、待機系Ｗｅｂサーバ１６やＢａｃｋＵＰ・管理サーバ１８から、外部ストレージ２１に格納されているデータベースおよびファイルへのアクセスを提供するＤＢ＋ＮＦＳサーバである。外部ストレージ２１は、専用Ｗｅｂサーバ１５や待機系Ｗｅｂサーバ１６が利用するデータベースやファイルを格納している。
【００１４】
パソコン３０は、本システムのサービスを受けるための本実施形態における端末機器である。また、このパソコン３０には、周辺機器として入力装置、表示装置等（いずれも図示せず）が接続されるものとする。ここで、入力装置とはキーボード、マウス等の入力デバイスのことをいう。表示装置とはＣＲＴ（Ｃａｔｈｏｄｅ  Ｒａｙ  Ｔｕｂｅ）や液晶表示装置等のことをいう。
携帯電話３１は、ユーザが所有し、携帯電話網を介してインターネット１０と接続する。３２は、パソコン３０と接続されており、パソコン３０からの指示により画像を印刷するプリンタである。３３は、撮影画像を画像ファイルにして、パソコン３０に出力するデジタルカメラである。
【００１５】
次に、本システムにて、ユーザに提供するサービスを図２に示す。これらの各サービスは、ユーザ操作に応じたパソコン３０からインターネット１０経由のアクセスに従い、専用Ｗｅｂサーバ１５が外部ストレージ２１から必要なデータを取得し、該データに基づき生成した画面データをインターネット１０経由でパソコン３０に送信し、受けた画面データに基づきパソコン３０が画面に表示することで、実現される。１００は、本システムが提供するサービスのトップページであり、図３に示すように、会員登録ボタンＢ２、お知らせボタンＢ３、サービス紹介ボタンＢ４、学ぶボタンＢ５、法人会員一覧ボタンＢ６、ＦＡＱ（Ｆｒｅｑｕｅｎｔｌｙ  Ａｓｋｅｄ  Ｑｕｅｓｔｉｏｎｓ）ボタンＢ７、お試し領域Ｂ８を備え、それぞれのボタンが押されたことを検知すると、それぞれ、会員登録１０３、お知らせ１０４、サービス紹介１０２、学ぶ１０５、法人会員一覧１０６、ＦＡＱ１０７、お試し１０１のサービスを提供する画面に遷移する。また、トップページ１００は、図３に示すように、会員ＩＤ入力領域Ａ１、パスワード入力領域Ａ２とログインボタンＢ１を具備し、これらの領域Ａ１、２に会員ＩＤとパスワードが入力され、ログインボタンＢ１が押されたことを検知すると、専用Ｗｅｂサーバ１５は、入力された会員ＩＤとパスワードの組み合わせと一致する組み合わせが、外部ストレージ２１に格納されていることを確認した後、Ｍｙページトップページ２００の画面に遷移する。
【００１６】
Ｍｙページトップページ２００は、該画面に遷移する際に入力された会員ＩＤのユーザ向けにカスタマイズされたページであり、図４に例を示すように、きれいにするボタンＢ１０、きれいに出力するボタンＢ１１、保存アルバムボタンＢ１２、遊ぶボタンＢ１３、作るボタンＢ１４、配るボタンＢ１５、友達のアルバムボタンＢ１６、ＨＥＬＰボタンＢ１７を備え、これらのボタンが押されたことを検知すると、それぞれ、きれいにする２０１、きれいに出力する２０２、保存アルバム２０３、遊ぶ２０５、作る２０６、配る２０７、友達のアルバム２０８、ＨＥＬＰ２０４のサービスを提供する画面に遷移する。
【００１７】
これらのうち、きれいにする２０１、きれいに出力する２０２の２つのサービスを実現するための概略構成のブロック図を、図５に示す。本図の中では、インターネット１０と専用Ｗｅｂサーバ１５の間に設置されているファイアウォール１１、１２、ロードバランサ１３、１４および、専用Ｗｅｂサーバ１５と外部ストレージ２１の間に設置されているＤＢ＋ＮＦＳサーバ２０は省略している。実際には、これらの装置を介して通信を行なうが、説明が煩雑になるため、以降の説明では省略する。また、図５において図１の各部に対応する部分には同一の符号を付け、その説明を省略する。
【００１８】
３４は、パソコン３０が備えるブラウザ（表示入力手段）である。ブラウザ３４は、いわゆるＷｅｂブラウザであり、専用Ｗｅｂサーバ１５から受信した画面データに基づき、パソコン３０の画面表示を行うとともに、ユーザ操作を受付けて、専用Ｗｅｂサーバ１５に送信する。３５は、ユーザ操作により、印刷用画像ファイルの印刷指示をプリンタ３２にする印刷処理である。
４０は、ブラウザ３４からのアクセスに応じて画面データを生成し、返信するアプリケーションサーバであり、画像指定処理４１、印刷用画像生成処理４２、見本画像生成処理４３、プロファイル生成登録処理４４、色変換処理４５、携帯用画像変換処理４６、画像加工処理４７を具備する。
【００１９】
画像指定処理４１は、当該ユーザの画像情報をユーザ情報データベース５０から取得し、この画像情報に基づき、画像データベース５１から当該ユーザの画像のサムネイルを取得して、これらのサムネイルの一覧からなる画像指定用の画面データを生成する。このとき当該ユーザのモニタプロファイルがユーザ情報データベース５０に登録されているときは、画面データ中のサムネイルを色変換処理４５にて変換する。そして、この画面データをブラウザ３４に送信して、ブラウザ３４から画面データの中のサムネイルを指定されると、そのサムネイルに対応する画像ファイルを画像データベース５１から取得する。
印刷用画像生成処理４２は、プリンタ機種指定用の画面データをブラウザ３４に送信し、ブラウザ３４から指定されたプリンタ機種に対応するプリンタプロファイルをプリンタプロファイルデータベース５２から取得し、画像指定処理４１が取得した画像ファイルをこのプリンタプロファイルに基づき色変換した印刷用画像ファイルを生成し、パソコン３０に送信する。
【００２０】
見本画像生成処理４３は、ブラウザ３４から指定された画像ファイルに対して、コントラストや色合いなどを変更する色変換を施した見本画像ファイルを、予め用意した複数の色変換のパターンを用いることで複数生成して、これらの見本画像ファイルの画像の中から一つをユーザに選択させる見本画像選択画面の画面データを生成し、ブラウザ３４に送信する。なお、見本画像選択画面には、見本画像に加えて色変換前の指定された画像ファイルの画像を含めておき、該画像と見本画像の中から選択させるようにしてもよい。また、見本画像ファイルを一つのみ生成し、見本画像と色変換前の画像のどちらかを選択させるようにしてもよいし、いくつかの画像の中から選択させるのではなく、この一つのみ生成した見本画像ファイルの画像を確認させるようにしてもよい。
プロファイル生成登録処理４４は、ブラウザ３４から指定された見本画像ファイルを生成するために見本画像生成処理４３にて用いた色変換のパターンを、モニタプロファイルとしてユーザ情報データベース５０の当該ユーザのレコードに登録する。
色変換処理４５は、画像を入力されると、ユーザ情報データベース５０から当該ユーザのモニタプロファイルを取得し、このモニタプロファイル用いて、入力された画像を色変換して出力する。
携帯画像用画像変換処理４６は、携帯電話の機種および送付先メールアドレス指定用の画面データをブラウザ３４に送信し、ブラウザ３４から指定された携帯電話の機種に対応する画像サイズの変換と色変換を、画像指定処理４１が取得した画像ファイルに対して施し、変換を施した画像ファイルをブラウザ３４から指定された送付先メールアドレスへ送信するように、メールサーバ１９に指示する。
なお、本実施形態において、指定された見本画像ファイルを生成するために見本画像生成処理４３にて用いた色変換のパターンをモニタプロファイルとするとして説明したが、見本画像選択画面にて、ユーザに複数の見本画像を選択させ、これらの選択された見本画像を生成するために用いた色変換のパターンを組み合わせてモニタプロファイルを生成するようにしてもよい。また、前回までの見本画像選択画面にて、ユーザが指定した見本画像ファイルの色変換パターンをユーザ情報データベース５０に格納しておき、これらの色変換パターンと今回指定された見本画像の色変換パターンを組み合わせてモニタプロファイルを生成するようにしてもよい。このように、以前までの選択内容に、今回の選択内容を加えていくことで、より精度の高いモニタプロファイルを生成することが可能となる。また、見本画像生成の際に用いる色変換のパターンは、予め決められたパターンを毎回用いるのではなく、変換する画像ファイルや、現在のモニタプロファイルの内容などに応じて、色変換のパターンを生成する、或いは、選択するようにしてもよい。
【００２１】
画像加工処理４７は、画像指定処理４１が取得した画像ファイルを含んでいる画像データであり、画像加工の項目やパラメータを指定するための画面データをブラウザ３４に送信する。このとき当該ユーザのモニタプロファイルがユーザ情報データベースに登録されているときは、画面データ中の画像指定処理４１が取得した画像ファイルを色変換処理４５にて変換してから送信する。ブラウザ３４から指定された画像加工の項目およびパラメータで、画像指定処理４１が取得した画像ファイルを加工する。
【００２２】
ユーザ情報データベース５０は、各ユーザの情報を格納する本実施形態におけるユーザ情報記憶手段である。各ユーザの情報としては、図６に例を示すように、ログイン時の認証用の会員ＩＤとパスワード、ログイン後のＭｙページトップページ２００などを表示する際のページ名称に使用するニックネームや、Ｎｏ．４〜１０のような個人情報、当該ユーザが画像データベースに保存している画像ファイルへのアクセス経路を記述した画像情報、当該ユーザのパソコン３０にて所定の色空間での画像表示を実現することを目指した色変換のパラメータであるモニタプロファイルなどを格納している。
画像データベース５１は、各ユーザの画像ファイルを格納している本実施形態における画像記憶手段である。
プリンタプロファイルデータベース５２は、プリンタの各機種にて、所定の色空間での印刷を実現するために、画像ファイルに施す色変換のパラメータであるプリンタプロファイルを格納している本実施形態におけるプリンタ記憶手段である。
【００２３】
次に、このネットワークプリントシステムのきれいにする２０１、きれいに出力する２０２の２つのサービス使用時の動作を説明する。図７に、これらのサービスのフローチャートを示す。パソコン３０が、先の説明と同様にして、その画面にトップページ１００を表している状態から説明する。ユーザ操作により、会員ＩＤ入力領域Ａ１とパスワード入力領域Ａ２にそれぞれ会員ＩＤとパスワードが入力され、ログインボタンＢ１が選択されると、ブラウザ３４はこれらを受付けて、専用Ｗｅｂサーバ１５のアプリケーションサーバ４０に送信する。アプリケーションサーバ４０は、受けた会員ＩＤとパスワードと一致する組み合わせがユーザ情報データベースに登録されているかを確認する。ここでは、一致する組み合わせが登録されていたとする。すると、アプリケーションサーバ４０は、該ユーザのニックネーム（ここでは、「○○○○」）をユーザ情報データベース５０より取得し、該ニックネームを使用して、例えば図４に示す「○○○○さん  こんにちは」と書かれたＭｙページトップページ２００を、ブラウザ３４に表示させる（Ｓ１０）。
【００２４】
ここでは、ユーザは、まず、きれいに出力する２０２サービスにて印刷をするとして、図８のシーケンス図を参照して説明する。ユーザ操作により、きれいに出力するボタンＢ１１が選択されると表示されるプリンタ、携帯、モニタの選択肢の中からプリンタが選択されると、ブラウザ３４はこれを受付けて、アプリケーションサーバ４０に送信する（Ｓ１８、Ｓａ５）。アプリケーションサーバ４０では、その画像指定処理４１が、ユーザ情報データベース５０からユーザの画像情報を取得し（Ｓａ６）、この画像情報に基づき、画像指定処理４１が、画像データベース５１から当該ユーザの画像のサムネイルを取得して（Ｓａ７）、図９に例を示すような画像指定用画面を、ブラウザ３４に表示させる（Ｓａ８）。ユーザが先のサムネイルを表示している領域Ａ４から画像を選択するか、入力領域Ａ４へのファイル名の入力もしくは参照ボタンＢ２０にて画像ファイルを指定すると、ブラウザ３４はこれを受付けて、選択された画像の識別情報もしくは指定された画像ファイルをアプリケーションサーバ４０に送信する（Ｓ１９、Ｓａ９）。アプリケーションサーバ４０の画像指定処理４１は、選択された画像の識別情報もしくは指定された画像ファイルを受け、画像の識別情報を受けた場合は、これに対応する画像ファイルを画像データベース５１に要求して（Ｓａ１０）、画像データベース５１から該画像ファイルを取得し（Ｓａ１１）、印刷用画像生成処理４２に渡す。画像ファイルを受けた場合は、該画像ファイルを印刷用画像生成処理４２に渡す。
【００２５】
印刷用画像生成処理４２は、画像ファイルを受け取ると、まず図１０に例を示すようなプリンタ機種指定用画面をブラウザ３４に表示させる。ユーザ操作により、プリンタ機種選択メニューＰ１のプルダウンから、プリンタメーカおよび機種が指定されると、ブラウザ３４はこれを受付けて、プリンタ機種の識別情報をアプリケーションサーバ４０に送信する（Ｓ２０、Ｓａ１２）。アプリケーションサーバ４０では、印刷用画像生成処理４２がプリンタ機種の識別情報を受けて、この識別情報に対応するプリンタプロファイルをプリンタプロファイルデータベース５２から取得する（Ｓａ１３）。印刷用画像生成処理４２は、先に画像指定処理４１から受けた画像ファイルを、取得したプリンタプロファイルに基づき、色変換して印刷用画像ファイルを生成する（Ｓ２１、Ｓａ１４）。印刷用画像生成処理４２は、色変換前の画像ファイルと印刷用画像ファイルによる画像を比較して確認できるように、図１１に例を示すような印刷確認用画面をブラウザ３４に表示させるとともに、印刷用画像ファイルをパソコン３０に送信する（Ｓａ１５）。ユーザ操作により、ＯＫボタンが押されるなどして印刷指示が入力されると、印刷処理３５は、これを受付けて、受信した印刷用画像ファイルの印刷をプリンタ３２に指示する（Ｓａ１６）。プリンタ３２は、印刷指示を受けて、印刷用画像ファイルの画像を印刷する（Ｓ２２、Ｓａ１７）。
【００２６】
ここで、パソコン３０の表示装置の特性によっては、印刷結果が画面表示と色調が異なってしまうことがある。これを解消するためのきれいに出力する２０２サービスのモニタの場合の動作を図１２に示すシーケンス図を参照して説明する。前述の印刷に続いて行う場合、ユーザは、印刷確認用画面において、図１１のこちらボタンB２１の選択操作をする。ブラウザ３４は、該選択を受付けて、先に印刷した印刷用画像ファイルの識別情報とともにアプリケーションサーバ４０に送信する（Ｓ２３、Ｓｂ１）。アプリケーションサーバ４０では、見本画像生成処理４３が先に印刷した印刷用画像ファイルの識別情報を受けて、該印刷用画像ファイルの色変換前の画像ファイルのサムネイルを画像データベース５１より取得する（Ｓｂ２）。見本画像生成処理４３は、自処理内に予め保持している複数の所定の色変換パターンにて、取得したサムネイルを色変換して、各々の色変換結果として複数の見本画像を得る（Ｓｂ３）。見本画像生成処理４３は、これらの見本画像を表示し、これらの中から一つを選択させる画面をブラウザ３４に表示させる（Ｓ２８、Ｓｂ４）。
【００２７】
ここで、ユーザが、この画面と先の印刷結果とを見比べて、表示されている画像の中で、印刷結果に最も近いものを選択すると、ブラウザ３４はこの選択を受け付けて、アプリケーションサーバ４０に送信する（Ｓ２９、Ｓｂ５）。アプリケーションサーバ４０では、プロファイル生成登録処理４４が、該選択結果を受けて、選択された見本画像に見本画像生成処理４３が施した色変換の変換パターンを、当該ユーザのモニタプロファイルとして（Ｓｂ６）、ユーザ情報データベース５０に格納する（Ｓ３０、Ｓｂ７）。
【００２８】
ここで、ユーザが色調整の確認のために、パソコン３０を操作すると、ユーザ操作をブラウザ３４が受け付けて、画像表示の指示をアプリケーションサーバ４０に送信する（Ｓｂ８）。アプリケーションサーバ４０では、プロファイル生成登録処理４４が、画像表示の指示を受けて、当該ユーザのモニタプロファイルをユーザ情報データベースから取得し、さらに先のサムネイルに対応する画像ファイルを画像データベース５１から取得して（Ｓｂ１０）、この画像ファイルの色変換を色変換処理４５に依頼する。色変換処理４５は、依頼を受けると、ユーザ情報データベース５０より、該ユーザのモニタプロファイルを取得し、このモニタプロファイルに従って、依頼された画像ファイルに色変換を施して（Ｓｂ１１）、プロファイル生成登録処理４４に返す。プロファイル生成登録処理４４は、色変換された画像ファイルを受けると、これを含む確認用画面をブラウザ３４に表示させる（Ｓ３１、Ｓｂ１２）。ブラウザ３４は、確認用画面の表示指示を受けて、これをパソコン３０のモニタ３６に表示する（Ｓｂ１３）。
なお、ここではモニタ３６を、説明の都合上、パソコン３０とは別のものとして記述したが、前述のようにパソコン３０は表示装置を備えており、モニタ３６は、本実施形態において、パソコン３０が備える表示装置である。
【００２９】
次に、きれいに出力する２０２サービスの携帯電話向け出力時の動作を図１３を参照して説明する。印刷の場合と同様にして、図４に示す例のような、Ｍｙページトップページ２００の画面を表示しているとする。ユーザ操作により、きれいに出力するボタンＢ１１が選択されると表示されるプリンタ、携帯、モニタの選択肢の中から携帯が選択されると、ブラウザ３４はこれを受付けて、アプリケーションサーバ４０に送信する（Ｓ１８、Ｓｃ５）。アプリケーションサーバ４０では、その画像指定処理４１が、ユーザ情報データベース５０からユーザの画像情報を取得し（Ｓｃ６）、この画像情報に基づき、画像指定処理４１が、画像データベース５１から当該ユーザの画像のサムネイルを取得して、図１４に例を示すような画像指定用画面を、ブラウザ３４に表示させる（Ｓｃ８）。ユーザが先のサムネイルを表示している領域Ａ６から画像を選択するか、入力領域Ａ５へのファイル名の入力もしくは参照ボタンＢ２２にて画像ファイルを指定すると、ブラウザ３４はこれを受付けて、選択された画像の識別情報もしくは指定された画像ファイルをアプリケーションサーバ４０に送信する（Ｓ１９、Ｓｃ９）。
【００３０】
アプリケーションサーバ４０の画像指定処理４１は、選択された画像の識別情報もしくは指定された画像ファイルを受け、画像の識別情報を受けた場合は、これに対応する画像ファイルを画像データベース５１に要求して（Ｓｃ１０）、画像データベース５１から該画像ファイルを取得し（Ｓｃ１１）、携帯用画像変換処理４６に渡す。携帯用画像変換処理は、画像ファイルを受け取ると、まず図１５に例を示すような携帯電話機種指定用画面をブラウザ３４に表示させる。ユーザ操作により、携帯電話メーカ選択メニューＰ２および携帯電話機種選択メニューＰ３のプルダウンから、携帯電話メーカおよび機種が指定され、メールアドレス入力領域Ａ３に送り先携帯電話のメールアドレスが入力され、ＯＫボタンＢ２３が押されると、ブラウザ３４がこれらを受け付け、アプリケーションサーバ４０に送信する。アプリケーションサーバ４０では、携帯用画像変換処理４６がこれらを受けて、指定された携帯電話の機種にあわせて、画像サイズ・色・画像フォーマットなどの変換を画像指定処理４１から受けた画像ファイルに施し（Ｓｃ１４）、ブラウザ３４から受けた携帯電話のメールアドレスに、メールサーバ１９を介して、電子メールとして送信する（Ｓｃ１５）。
【００３１】
次に、きれいにする２０１サービスにて画像を加工するとして、そのときの動作を図１６のシーケンス図を参照して説明する。図８の場合と同様にして、ログインして（Ｓ１０、Ｓｄ１〜３）、図４に示す例のようなＭｙページトップページ２００を表示させている（Ｓｄ４）状態から説明する。ユーザ操作により、きれいにするボタンＢ１０が選択されると表示される「自動」、「かんたん」、「マニュアル」の中から「自動」が選択されるとブラウザ３４はこれを受付けて、アプリケーションサーバ４０に送信する（Ｓ１１、Ｓｄ５）。アプリケーションサーバ４０では、その画像指定処理４１が、ユーザ情報データベース５０からユーザの画像情報を取得し（Ｓｄ６）、この画像情報に基づき、画像指定処理４１が、画像データベース５１から当該ユーザの画像のサムネイルを取得する（Ｓｄ７）。画像指定処理４１は、画像のサムネイルを取得すると、これを色変換処理４５にて、当該ユーザのモニタプロファイルを用いて色変換する。次に、画像指定処理４１は、図１７に例を示すような画像指定用画面を、ブラウザ３４に表示させる（Ｓｄ８）。ユーザが先のサムネイルを表示している領域Ａ８から画像を選択するか、入力領域Ａ７へのファイル名の入力もしくは参照ボタンＢ２３にて画像ファイルを指定すると、ブラウザ３４はこれを受付けて、選択された画像の識別情報もしくは指定された画像ファイルをアプリケーションサーバ４０に送信する（Ｓ１２、Ｓｄ９）。
【００３２】
ここでは、画像ファイルを指定し、その画像ファイルを送信したとする。アプリケーションサーバ４０の画像指定処理４１は、画像ファイルを受け、これを画像加工処理４７に渡すとともに、前述のステップＳｄ５にて「自動」が選択されたことを通知する。画像加工処理４７は、「自動」であることと、画像ファイルを受けると、自動の場合はステップＳｄ１０の処理する内容の指定が不要なので、受けた画像ファイルの輝度分布と赤色、青色、緑色の各成分の比が、所定の値となるようになどの変換を施した変換後の画像ファイルを生成する。図１８に例を示すような画像加工処理４７による変換前と変換後の画像を比較できる画面をブラウザ３４に表示させる（Ｓ１５、Ｓｄ１１）。ただし、これらの画像は、色変換処理４５にて色変換を施しておく。
【００３３】
なお、前述のステップＳｄ５にて「かんたん」が指定された場合も、図１９に例を示すような画像指定画面を表示させる。この画面にて画像ファイルが指定されると、画像加工処理４７は、図２０に例を示すような加工内容設定用画面を表示させて、加工内容選択領域Ｐ４、Ｐ５にて加工内容を選択するか、或いは領域Ａ９のように何種類かの予め決められた変換を施した画像を表示させて、その中からユーザに選択させることで、加工内容を決めて（Ｓｄ１０）、先に指定された画像ファイルに加工内容に従った変換を施し、図２１に例を示すような画像ファイルの変換前と変換後を比較できる画面を表示させる（Ｓ１５、Ｓｄ１１）。なお、このときも、各画面における各画像は色変換処理４５にて色変換を施しておく。
【００３４】
さらに、前述のステップＳｄ５にて「マニュアル」が指定された場合も、図２２に例を示すような画像指定画面を表示させる。この画面にて画像ファイルが指定されると、画像加工処理４７は、図２３に例を示すような補正内容設定用画面を表示させて、補正項目選択領域Ｐ７にて補正項目を決め、該項目に従って表示される補正パラメータ設定領域Ａ１１にてパラメータを選択して、ＯＫボタンＢ２６にて補正内容を決定する（Ｓｄ１０）。補正内容が決まると、先に指定された画像ファイルに補正内容に従った変換を施し、図２４に例を示すような画像ファイルの変換前と変換後を比較できる画面を表示させる（Ｓ１５、Ｓｄ１１）。なお、このときも、各画面における各画像は色変換処理４５にて色変換を施しておく。
【００３５】
ここで、きれいにする２０１の変換前後の比較画面（図１８、２１、２４）は、変換前後の画像ファイルに対する処理指定領域Ｐ３、Ｐ６、Ｐ８を持ち、変換前後のファイルの保存アルバム２０３サービスによる画像データベース５１への保存や（Ｓ１６）、きれいに出力する２０２サービスによる印刷や携帯電話への送信などが行える（Ｓ１７）。
【００３６】
このように、きれいにする２０１サービスにおいて画像を変換する際の表示画像を、きれいに出力する２０２サービスにて印刷結果と画面表示が近いとユーザが感じたモニタプロファイルを用いて色変換処理４５を常に施しておくことで、加工した画像を印刷した際にも画面表示に近い印刷結果を得ることができる。
【００３７】
次に、図２に示したＭｙページトップページ２００から図４に示したボタンＢ１０〜１７が選択されると移行するサービスのうち、きれいにする２０１、きれいに出力する２０２以外の保存アルバム２０３〜友達のアルバム２０８サービスを説明する。まず、保存アルバム２０３サービスでは、図２５に例を示すように、アルバムボタンＢ５１を選択すると表示される「画像の追加」、「画像の整理」、「アルバムの作成」、「アルバムの修正」、「スライドショー」などのサービスを提供する。ユーザ操作により、「画像の追加」が選択されると、アプリケーションサーバ４０は、これを受けて、図２５に例を示すようなアルバム選択画面をブラウザ３４に表示させ、アルバム選択領域Ｐ９などで、画像を追加するアルバムを選択させる。ユーザ操作により、アルバムが選択されると図２６に例を示すような画像追加画面を表示させ、ユーザ操作により、追加画像ファイル名指定領域Ａ１２や参照ボタンＢ２７にて、画像ファイルが指定されると、アプリケーションサーバ４０は、これを受けて、パソコン３０からアップロードされる画像ファイルを画像データベース５１に登録する。
【００３８】
また、ユーザ操作により、「画像の整理」が選択されるとアプリケーションサーバ４０は、これを受けて、図２７に例を示すようなアルバム選択画面をブラウザ３４に表示させ、アルバム選択領域Ｐ１０などで、画像を整理するアルバムを選択させる。ユーザ操作により、アルバムが選択されると図２８に例を示すような画像整理画面を表示させ、画像指定領域Ａ１３にて対象とする画像ファイルを指定させ、移動ボタンＢ２８、コピーボタンＢ２９、削除ボタンＢ３０にて、ユーザ操作により動作が指定されると、アプリケーションサーバ４０は、これを受けて、画像データベース５１の登録内容を変更する。
【００３９】
また、ユーザ操作により、「アルバムの作成」が選択されるとアプリケーションサーバ４０は、これを受けて、図２９に例を示すようなアルバム作成画面をブラウザ３４に表示させ、アルバム名入力領域Ａ１４、公開非公開選択領域Ｒ１、公開先入力領域Ａ１５、背景選択領域Ｒ２などで、作成するアルバムを設定させる。ユーザ操作により、アルバムの設定が決まると、これをアプリケーションサーバ４０は受け、画像データベース５１に、該アルバム用の領域を設定する。
【００４０】
また、ユーザ操作により、「アルバムの修正」が選択されるとアプリケーションサーバ４０は、これを受けて、図３０に例を示すようなアルバム修正画面をブラウザ３４に表示させ、アルバム選択領域Ｐ１１、公開非公開選択領域Ｒ３、公開先入力領域Ａ１６、背景選択領域Ｒ４などで、修正するアルバムの選択と、修正内容の設定をさせる。ユーザ操作により、修正するアルバムとその設定が決まると、これをアプリケーションサーバ４０は受け、画像データベース５１にある、該アルバム用の領域に修正された設定を登録する。
【００４１】
また、ユーザ操作により、「スライドショー」が選択されるとアプリケーションサーバ４０は、これを受けて、図３１に例を示すようなアルバム選択画面をブラウザ３４に表示させ、アルバム選択領域Ｐ１２などで、スライドショーの元となるアルバムを選択させる。ユーザ操作により、アルバムが選択されると、これをアプリケーションサーバ４０は受け、画像データベース５１にある、該アルバムの画像ファイルを取得し、図３２に例を示すようなスライドショー画面をブラウザ３４に表示させる。このスライドショー画面では、左ボタンＢ３４や右ボタンＢ３５で、表示する画像の選択を、アルバムの選択ボタンＢ３６にて、アルバム選択画面に戻って表示するアルバムの選択をすることができる。
【００４２】
次に、遊ぶ２０５サービスでは、図３３に例を示すように、遊ぶボタンＢ５２を選択すると表示される「プリクラ」、「フィルタ」、「分割」、「塗り絵」などのサービスを提供する。ユーザ操作により、「プリクラ」が選択されると、アプリケーションサーバ４０は、これを受けて、図３３に例を示すような画像選択画面をブラウザ３４に表示させ、画像ファイル入力領域Ａ１７、参照ボタンＢ３７、画像選択領域Ａ１８などで、対象とする画像を指定させる。ユーザ操作により、画像が指定されると、アプリケーションサーバ４０は、これを受けて、図３４に示すようなプリクラ画面をブラウザ３４に表示させる。ユーザ操作により、装飾選択領域Ａ１９などで、装飾内容が指定されると、アプリケーションサーバ４０は、これを受けて、表示画像に装飾を付して再表示する。次に、ユーザ操作によりＯＫボタンＢ３８が選択されると、アプリケーションサーバ４０は、これを受けて、図３５に示すような画像出力画面をブラウザ３４に表示させる。ユーザ操作により、出力先選択領域Ｐ１３などで出力先が選択され、ＯＫボタンＢ３９が選択されると、アプリケーションサーバ４０は、これを受けて、きれいに出力する２０２サービスや保存アルバム２０３サービスなどの画面を表示させる。
【００４３】
また、ユーザ操作により、「フィルタ」が選択されると、アプリケーションサーバ４０は、これを受けて、図３６に例を示すような画像選択画面をブラウザ３４に表示させ、画像ファイル入力領域Ａ２０、参照ボタンＢ４０、画像選択領域Ａ２１などで、対象とする画像を指定させる。ユーザ操作により、画像が指定されると、アプリケーションサーバ４０は、これを受けて、図３７に示すようなフィルタ選択画面をブラウザ３４に表示させる。ユーザ操作により、フィルタ選択領域Ｐ１４などでフィルタの種別が選択され、ＯＫボタンＢ４１が選択されると、アプリケーションサーバ４０は、これを受けて、図３８に示すような先に種別が選択されたフィルタによる変換前後の画像を含む画像出力画面をブラウザ３４に表示させる。ユーザ操作により、出力先選択領域Ｐ１５などで出力先が選択され、ＯＫボタンＢ４２が選択されると、アプリケーションサーバ４０は、これを受けて、きれいに出力する２０２サービスや保存アルバム２０３サービスなどの画面を表示させる。
【００４４】
また、ユーザ操作により、「分割」が選択されると、アプリケーションサーバ４０は、これを受けて、図３９に例を示すような画像選択画面をブラウザ３４に表示させ、画像ファイル入力領域Ａ２２、参照ボタンＢ５４、画像選択領域Ａ２３などで、対象とする画像を指定させる。ユーザ操作により、画像が指定されると、アプリケーションサーバ４０は、これを受けて、図４０に示すような分割設定画面をブラウザ３４に表示させる。ユーザ操作により、分割パターン設定領域Ｒ５にて分割パターンが、出力先選択領域Ｐ１６などで出力先が選択され、ＯＫボタンＢ４３が選択されると、アプリケーションサーバ４０は、これを受けて、きれいに出力する２０２サービスや保存アルバム２０３サービスなどの画面を表示させる。
【００４５】
また、ユーザ操作により、「塗り絵」が選択されると、アプリケーションサーバ４０は、これを受けて、図４１に例を示すような画像選択画面をブラウザ３４に表示させ、画像ファイル入力領域Ａ２４、参照ボタンＢ４４、画像選択領域Ａ２５などで、対象とする画像を指定させる。ユーザ操作により、画像が指定されると、アプリケーションサーバ４０は、これを受けて、図４２に示すような画像の輪郭線を抽出した塗り絵用画像を含む塗り絵画面をブラウザ３４に表示させる。ユーザ操作により、色指定領域Ａ２６にて指定された色を塗り絵用画像に配置し、ＯＫボタンＢ４５が選択されると、アプリケーションサーバ４０は、これを受けて、図４３に示すような塗り絵前後の画像を含む画像出力画面をブラウザ３４に表示させる。ユーザ操作により、出力先選択領域Ｐ１７などで出力先が選択され、ＯＫボタンＢ４６が選択されると、アプリケーションサーバ４０は、これを受けて、きれいに出力する２０２サービスや保存アルバム２０３サービスなどの画面を表示させる。
【００４６】
次に、作る２０６サービスでは、図４４に例を示すように、作るボタンＢ５３を選択すると表示される「グリーティングカード」、「年賀状」、「名刺」、「照明写真」、「案内状」などのサービスを提供する。ユーザ操作により、「グリーティングカード」が選択されると、アプリケーションサーバ４０は、これを受けて、図４４に例を示すようなカード選択画面をブラウザ３４に表示させる。ユーザ操作により、カード選択領域Ｒ６などでカードのデザインが選択され、画像ファイル入力領域Ａ２７、参照ボタンＢ４７、画像選択領域Ａ２８などで、対象とする画像が選択されると、アプリケーションサーバ４０は、これを受けて、図４５に示すようなカード作成画面をブラウザ３４に表示させる。ユーザ操作により、装飾選択領域Ａ２９などで、装飾内容が指定されると、アプリケーションサーバ４０は、これを受けて、表示画像に装飾を付して再表示する。次に、ユーザ操作によりＯＫボタンＢ４８が選択されると、アプリケーションサーバ４０は、これを受けて、図４６に示すようなカードの画像を含む画像出力画面をブラウザ３４に表示させる。ユーザ操作により、出力先選択領域Ｐ１７などで出力先が選択され、ＯＫボタンが選択されると、アプリケーションサーバ４０は、これを受けて、きれいに出力する２０２サービスや保存アルバム２０３サービスなどの画面を表示させる。
【００４７】
次に、配る２０７サービスを説明する。図４に例を示したＭｙページトップページ２００にて、配るボタンＢ１５を選択すると、これを受けて、アプリケーションサーバ４０は、図４７に例を示すような画像配布画面をブラウザ３４に表示させる。ユーザ操作により、画像選択領域Ａ３０などで画像が選択され、メールアドレス入力領域Ａ３１などで送付先アドレスが指定され、ＯＫボタンＢ４８が選択されると、アプリケーションサーバ４０は、これを受けて、選択された画像の画像ファイルを画像データベース５１から取得し、取得した画像ファイルを指定された送付先アドレスへメールサーバ１９を介してメールにて送付する。
【００４８】
次に、友達のアルバム２０８サービスを説明する。図４に例を示したＭｙページトップページ２００にて、友達のアルバムボタンＢ１６を選択すると、これを受けて、アプリケーションサーバ４０は、図４８に例を示すようなアルバム選択画面をブラウザ３４に表示させる。ここで、表示されるアルバムは当該ユーザに公開すると設定されているアルバムを画像データベース５１から抽出したものである。ユーザ操作により、表示されているアルバムの中のいずれかが選択されると、アプリケーションサーバ４０は、これを受けて、選択されたアルバムの画像を図４９に例を示すようなアルバム表示画面を、ブラウザ３４に表示させる。ユーザ操作により、画像選択領域Ａ３０から何れかの画像が選択されるか、スライドショーボタンＢ４９が選択されると、アプリケーションサーバ４０は、これを受けて図５０に例を示すようなスライドショー画面を表示する。ここで、図５０にあるページ捲りボタンＢ５０は、スライドショーボタンＢ４９が選択された場合に表示されるボタンであり、画像選択により当該画面が表示された場合には、表示されない。ユーザ操作により、当該ページ捲りボタンＢ５０が選択されると、これを受けたアプリケーションサーバ４０は、同じアルバムの次の画像を含むスライドショー画面をブラウザ３４に表示させる。
【００４９】
本実施形態のネットワークプリントシステムは、図５１に示すように、インターネットを介して一般ユーザおよび会員ユーザに図２に示したようなサービスを提供するが、その利用方法としては、ユーザに直接サービスを提供するのではなく、ブログサイトやオークションサイトなどの他サイトに本システムの一部もしくは全ての機能を提供するＡＳＰ（Ａｐｐｌｉｃａｔｉｏｎ  Ｓｅｒｖｉｃｅ  Ｐｒｏｖｉｄｅｒ）形式で、間接的にサービスを提供することもできる。
【００５０】
また、本実施形態のネットワークプリントシステムは、図５２に示すように、バナー広告やタイアップ記事広告、新製品情報などを掲載することで、広告料を得て運営することが可能だが、前述のようにＡＳＰ形式でサービスを提供する場合には、ブログサイトやオークションサイトなどの提供先からＡＳＰ利用料の形で料金を得ることができる。また、広告料の他には、本サービスでサポートする機器のメーカなどから法人会員会費の形で料金を得ることもできる。
【００５１】
なお、本実施形態においては、専用Ｗｅｂサーバ１５のアプリケーションサーバ４０が画面データを生成し、パソコン３０のブラウザ３４が、この画面データを受けて、パソコン３０の表示装置に表示するとしたが、アプリケーションサーバ４０が生成するのは、画面データの元になるデータであり、該データを受けたブラウザ３４が、該データおよび受け付けたユーザ操作に基づき、画面データを生成して、パソコン３０の表示装置に表示してもよい。
【００５２】
また、図５におけるアプリケーションサーバ４０の機能を実現するためのプログラムをコンピュータ読み取り可能な記録媒体に記録して、この記録媒体に記録されたプログラムをコンピュータシステムに読み込ませ、実行することによりアプリケーションサーバ４０の処理を行ってもよい。なお、ここでいう「コンピュータシステム」とは、ＯＳや周辺機器等のハードウェアを含むものとする。
【００５３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５４】
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【００５５】
【図１】この発明の一実施形態によるネットワークプリントシステムの概略構成を示すブロック図である。
【図２】本実施形態におけるサービスの概略構成を説明する図である。
【図３】本実施形態におけるサービスのトップページ１００の画面例を示す図である。
【図４】本実施形態におけるサービスのＭｙページトップページ２００の画面例を示す図である。
【図５】本実施形態におけるサービスの一部であるきれいにする２０１ときれいに出力する２０２を提供するための概略構成を示すブロック図である
【図６】本実施形態におけるユーザ情報データベース５０の格納内容を説明する図である。
【図７】本実施形態におけるサービスの一部であるきれいにする２０１ときれいに出力する２０２のフローチャートである。
【図８】本実施形態におけるきれいに出力する２０２の出力先がプリンタの場合のシーケンス図である。
【図９】本実施形態における画像指定用画面の例を示す図である。
【図１０】本実施形態におけるプリンタ機種指定用画面の例を示す図である。
【図１１】本実施形態における印刷確認用画面の例を示す図である。
【図１２】本実施形態におけるきれいに出力する２０２サービスの出力先がモニタの場合の動作を説明するシーケンス図である。
【図１３】本実施形態におけるきれいに出力する２０２サービスの出力先が携帯電話の場合の動作を説明するシーケンス図である。
【図１４】本実施形態におけるきれいに出力する２０２サービスの出力先が携帯電話の場合の画像指定用画面の例を示す図である。
【図１５】本実施形態におけるきれいに出力する２０２サービスの出力先が携帯電話の場合の携帯電話機種指定用画面の例を示す図である。
【図１６】本実施形態におけるきれいにする２０１サービスによる画像加工の動作を説明するシーケンス図である。
【図１７】本実施形態におけるきれいにする２０1サービスの自動の場合の画像指定用画面の例を示す図である。
【図１８】本実施形態におけるきれいにする２０1サービスの自動の場合の比較画面の例を示す図である。
【図１９】本実施形態におけるきれいにする２０1サービスのかんたんの場合の画像指定用画面の例を示す図である。
【図２０】本実施形態におけるきれいにする２０1サービスのかんたんの場合の加工内容設定用画面の例を示す図である。
【図２１】本実施形態におけるきれいにする２０1サービスのかんたんの場合の比較画面の例を示す図である。
【図２２】本実施形態におけるきれいにする２０1サービスのマニュアルの場合の画像指定用画面の例を示す図である。
【図２３】本実施形態におけるきれいにする２０1サービスのかんたんの場合の補正内容設定用画面の例を示す図である。
【図２４】本実施形態におけるきれいにする２０1サービスのマニュアルの場合の比較画面の例を示す図である。
【図２５】本実施形態における保存アルバム２０３サービスの画像の追加の場合のアルバム選択画面の例を示す図である。
【図２６】本実施形態における保存アルバム２０３サービスの画像の追加の場合の画像追加画面の例を示す図である。
【図２７】本実施形態における保存アルバム２０３サービスの画像の整理の場合のアルバム選択画面の例を示す図である。
【図２８】本実施形態における保存アルバム２０３サービスの画像の整理の場合の画像整理画面の例を示す図である。
【図２９】本実施形態における保存アルバム２０３サービスのアルバム作成画面の例を示す図である。
【図３０】本実施形態における保存アルバム２０３サービスのアルバム整理画面の例を示す図である。
【図３１】本実施形態における保存アルバム２０３サービスのスライドショーの場合のアルバム選択画面の例を示す図である。
【図３２】本実施形態における保存アルバム２０３サービスのスライドショーの場合のスライドショー画面の例を示す図である。
【図３３】本実施形態における遊ぶ２０５サービスのプリクラの場合の画像選択画面の例を示す図である。
【図３４】本実施形態における遊ぶ２０５サービスのプリクラの場合のプリクラ画面の例を示す図である。
【図３５】本実施形態における遊ぶ２０５サービスのプリクラの場合の画像出力画面の例を示す図である。
【図３６】本実施形態における遊ぶ２０５サービスのフィルタの場合の画像選択画面の例を示す図である。
【図３７】本実施形態における遊ぶ２０５サービスのフィルタの場合のフィルタ選択画面の例を示す図である。
【図３８】本実施形態における遊ぶ２０５サービスのフィルタの場合の画像出力画面の例を示す図である。
【図３９】本実施形態における遊ぶ２０５サービスの分割の場合の画像選択画面の例を示す図である。
【図４０】本実施形態における遊ぶ２０５サービスの分割の場合の分割設定画面の例を示す図である。
【図４１】本実施形態における遊ぶ２０５サービスの塗り絵の場合の画像選択画面の例を示す図である。
【図４２】本実施形態における遊ぶ２０５サービスの塗り絵の場合の塗り絵画面の例を示す図である。
【図４３】本実施形態における遊ぶ２０５サービスの塗り絵の場合の画像出力画面の例を示す図である。
【図４４】本実施形態における作る２０６サービスのグリーティングカードの場合のカード選択画面の例を示す図である。
【図４５】本実施形態における作る２０６サービスのグリーティングカードの場合のカード作成画面の例を示す図である。
【図４６】本実施形態における作る２０６サービスのグリーティングカードの場合の画像出力画面の例を示す図である。
【図４７】本実施形態における配る２０７サービスの画像配布画面の例を示す図である。
【図４８】本実施形態における友達のアルバム２０８サービスのアルバム選択画面の例を示す図である。
【図４９】本実施形態における友達のアルバム２０８サービスのアルバム表示画面の例を示す図である。
【図５０】本実施形態における友達のアルバム２０８サービスのスライドショー画面の例を示す図である。
【図５１】本実施形態におけるネットワークプリントシステムのサービス提供形態を説明する図である。
【図５２】本実施形態におけるネットワークプリントシステムのビジネスモデルを説明する図である。
【符号の説明】
【００５６】
１０…インターネット
１１、１２…ファイアウォール
１３、１４…ロードバランサ
１５…専用Ｗｅｂサーバ
１６…待機系Ｗｅｂサーバ
１７…ＦＴＰサーバ
１８…ＢａｃｋＵＰ・管理サーバ
１９…メールサーバ
２０…ＤＢ＋ＮＦＳサーバ
２１…外部ストレージ
３０…パソコン
３１…携帯電話
３２…プリンタ
３３…デジタルカメラ
３４…ブラウザ
３５…印刷処理
３６…モニタ
４０…アプリケーションサーバ
４１…画像指定処理
４２…印刷用画像生成処理
４３…見本画像生成処理
４４…プロファイル生成登録処理
４５…色変換処理
４６…携帯用画像変換処理
４７…画像加工処理
５０…ユーザ情報データベース
５１…画像データベース
５２…プリンタプロファイルデータベース
【図１】
2007219669.tif 000003
【図２】
2007219669.tif 000004
【図３】
2007219669.tif 000005
【図４】
2007219669.tif 000006
【図５】
2007219669.tif 000007
【図６】
2007219669.tif 000008
【図７】
2007219669.tif 000009
【図８】
2007219669.tif 000010
【図９】
2007219669.tif 000011
【図１０】
2007219669.tif 000012
【図１１】
2007219669.tif 000013
【図１２】
2007219669.tif 000014
【図１３】
2007219669.tif 000015
【図１４】
2007219669.tif 000016
【図１５】
2007219669.tif 000017
【図１６】
2007219669.tif 000018
【図１７】
2007219669.tif 000019
【図１８】
2007219669.tif 000020
【図１９】
2007219669.tif 000021
【図２０】
2007219669.tif 000022
【図２１】
2007219669.tif 000023
【図２２】
2007219669.tif 000024
【図２３】
2007219669.tif 000025
【図２４】
2007219669.tif 000026
【図２５】
2007219669.tif 000027
【図２６】
2007219669.tif 000028
【図２７】
2007219669.tif 000029
【図２８】
2007219669.tif 000030
【図２９】
2007219669.tif 000031
【図３０】
2007219669.tif 000032
【図３１】
2007219669.tif 000033
【図３２】
2007219669.tif 000034
【図３３】
2007219669.tif 000035
【図３４】
2007219669.tif 000036
【図３５】
2007219669.tif 000037
【図３６】
2007219669.tif 000038
【図３７】
2007219669.tif 000039
【図３８】
2007219669.tif 000040
【図３９】
2007219669.tif 000041
【図４０】
2007219669.tif 000042
【図４１】
2007219669.tif 000043
【図４２】
2007219669.tif 000044
【図４３】
2007219669.tif 000045
【図４４】
2007219669.tif 000046
【図４５】
2007219669.tif 000047
【図４６】
2007219669.tif 000048
【図４７】
2007219669.tif 000049
【図４８】
2007219669.tif 000050
【図４９】
2007219669.tif 000051
【図５０】
2007219669.tif 000052
【図５１】
2007219669.tif 000053
【図５２】
2007219669.tif 000054